【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
像を形成する光束を射出する光学系と、
前記光束を受光して画素信号を出力する複数の撮像画素と、瞳分割型の複数の焦点検出画素とを二次元配列に従って配置した撮像素子と、
前記複数の撮像画素に含まれる欠陥撮像画素の画素信号を、該欠陥撮像画素の周囲の前記複数の撮像画素の画素信号に基づき第１の欠陥画素補正処理により補正するとともに、前記複数の焦点検出画素に含まれる欠陥焦点検出画素の画素信号を、該欠陥焦点検出画素の周囲の前記複数の焦点検出画素の画素信号に基づき第２の欠陥画素補正処理により補正する欠陥画素補正処理手段と、
前記欠陥画素補正処理手段により補正された前記欠陥撮像画素の画素信号を含む前記複数の撮像画素の画素信号に基づいて、画像信号を生成する画像生成手段と、
前記欠陥画素補正処理手段により補正された前記欠陥焦点検出画素の画素信号を含む前記複数の焦点検出画素の画素信号に基づいて、前記光学系の焦点調節状態を検出する焦点検出手段とを備えることを特徴とする撮像装置。
【請求項２】
請求項１に記載の撮像装置において、
前記欠陥撮像画素および前記欠陥焦点検出画素の各々に関する欠陥画素情報を記憶する欠陥画素情報記憶手段をさらに備え、
前記欠陥画素補正処理手段は、前記欠陥画素情報に基づいて前記第１の欠陥画素補正処理および前記第２の欠陥画素補正処理の各々を行うことを特徴とする撮像装置。
【請求項３】
請求項２に記載の撮像装置において、
前記欠陥画素情報は、欠陥撮像画素および欠陥焦点検出画素の各々の欠陥画素位置を示す欠陥画素位置情報と、該欠陥画素位置情報に応じて記憶される欠陥画素補正処理の種類を指定するための欠陥画素補正処理情報とを含み、
前記欠陥画素補正処理は、前記第１の欠陥画素補正処理または前記第２の欠陥画素補正処理であることを特徴とする撮像装置。
【請求項４】
請求項１に記載の撮像装置において、
前記欠陥画素補正処理手段は、前記欠陥撮像画素の画素信号を、該欠陥撮像画素の周囲に２次元的に配置された前記複数の撮像画素の画素信号に基づき前記第１の欠陥画素補正処理により補正するとともに、前記欠陥焦点検出画素の画素信号を、該欠陥焦点検出画素を通る直線上に配置された前記複数の焦点検出画素の画素信号に基づき前記第２の欠陥画素補正処理により補正することを特徴とする撮像装置。
【請求項５】
請求項４に記載の撮像装置において、
前記第１の欠陥画素補正処理は、前記欠陥撮像画素の周囲の撮像画素の画素信号に対するメディアンフィルタ処理であることを特徴とする撮像装置。
【請求項６】
請求項４に記載の撮像装置において、
前記第２の欠陥画素補正処理は、前記欠陥焦点検出画素を挟む前記複数の焦点検出画素の画素信号に対する平均処理であることを特徴とする撮像装置。
【請求項７】
請求項１に記載の撮像装置において、
前記第１の欠陥画素補正処理に用いる前記欠陥撮像画素の周囲の前記複数の撮像画素の範囲は、前記第２の欠陥画素補正処理に用いる前記欠陥焦点検出画素の周囲の前記複数の焦点検出画素の範囲より広いことを特徴とする撮像装置。
【請求項８】
請求項３に記載の撮像装置において、
前記欠陥画素情報は、前記欠陥画素位置情報に応じて記憶される補正用画素位置情報をさらに含み、
前記補正用画素位置情報は、前記欠陥画素補正処理に用いる前記複数の撮像画素または前記複数の焦点検出画素の、前記欠陥画素位置を基準とした相対的な画素位置を表す情報であることを特徴とする撮像装置。
【請求項９】
請求項１に記載の撮像装置において、
前記撮像素子は、前記複数の撮像画素が第１の判定水準に適合し、かつ前記複数の焦点検出画素が前記第１の判定水準より高い第２の判定水準に適合することを特徴とする撮像装置。
【請求項１０】
請求項１に記載の撮像装置において、
前記画像信号に基づく画像表示処理を行う表示手段と、
前記画像信号の記憶格納処理を行う画像記録手段と、
前記画像表示処理のみを行うライブビュー動作モードと前記記憶格納処理のみを行う撮影動作モードとを切り替える制御を行う切替制御手段とをさらに備え、
前記第１の欠陥画素補正処理は、前記ライブビュー動作モードにおいては、前記欠陥撮像画素の画素信号を、該欠陥撮像画素の周囲の前記複数の撮像画素のうちの１つの撮像画素の画素信号と同一の画素信号に置き換える処理であって、前記撮影動作モードにおいては、前記欠陥撮像画素の画素信号を、該欠陥撮像画素の周囲の前記複数の撮像画素の画素信号に対するメディアンフィルタ処理であることを特徴とする撮像装置。
【請求項１１】
請求項１に記載の撮像装置において、
前記複数の焦点検出画素は、複数の第１焦点検出画素と複数の第２焦点検出画素とを含み、
前記複数の焦点検出画素の各々は、マイクロレンズと光電変換部とを有し、
前記複数の第１焦点検出画素の各々の前記光電変換部は、前記光学系の絞り開口を通過する一対の焦点検出用光束のうちの一方を受光し、
前記複数の第２焦点検出画素の各々の前記光電変換部は、前記一対の焦点検出用光束のうちの他方を受光し、
前記複数の第１焦点検出画素の各々と前記複数の第２焦点検出画素の各々とは、一方向に交互に配置されて焦点検出画素列を構成することを特徴とする撮像装置。
【請求項１２】
請求項１に記載の撮像装置において、
前記複数の撮像画素は、相異なる分光感度特性を有し、かつ所定の配置規則に従って配置される複数種類の撮像画素を含み、
前記複数の焦点検出画素の各々の位置において、前記複数の焦点検出画素の各々の周囲の前記複数種類の撮像画素の画素信号に基づき算出される補間画素信号を補間する補間手段をさらに備え、
前記画像生成手段は、前記欠陥画素補正処理手段により補正された前記欠陥撮像画素の画素信号を含む前記複数種類の撮像画素の画素信号と前記補間画素信号とに基づいて、前記画像信号を生成することを特徴とする撮像装置。
【請求項１３】
請求項１２に記載の撮像装置において、
前記欠陥画素補正処理手段は、前記欠陥撮像画素の画素信号を、該欠陥撮像画素の周囲の前記複数種類の撮像画素の画素信号と、該欠陥撮像画素の周囲の前記複数の焦点検出画素の各々の位置において前記補間手段により補間された補間画素信号とに基づき前記第１の欠陥画素補正処理により補正することを特徴とする撮像装置。
【請求項１４】
像を形成する光束を射出する光学系と、
前記光束を受光して画素信号を出力する複数の撮像画素と、瞳分割型の複数の焦点検出画素とを二次元配列に従って配置した撮像素子と、
前記複数の撮像画素に含まれる欠陥撮像画素および前記複数の焦点検出画素に含まれる欠陥焦点検出画素の各々の欠陥画素位置を示す欠陥画素位置情報と、該欠陥画素位置情報に応じて該欠陥画素位置の前記欠陥撮像画素または前記欠陥焦点検出画素の画素信号を補正する欠陥画素補正処理の種類を指定するための欠陥画素補正処理情報とを記憶する欠陥画素情報記憶手段と、
前記欠陥画素情報記憶手段に記憶された欠陥画素位置情報および該欠陥画素位置情報に応じて記憶された欠陥画素補正処理情報に基づき前記欠陥撮像画素または前記欠陥焦点検出画素の画素信号を補正する欠陥画素補正処理手段と、
前記欠陥画素補正処理手段により補正された前記欠陥撮像画素の画素信号を含む前記複数の撮像画素の画素信号に基づいて、画像信号を生成する画像生成手段と、
前記欠陥画素補正処理手段により補正された前記欠陥焦点検出画素の画素信号を含む前記複数の焦点検出画素の画素信号に基づいて、前記光学系の焦点調節状態を検出する焦点検出手段とを備えることを特徴とする撮像装置。
【請求項１５】
請求項１４に記載の撮像装置において、
前記欠陥画素情報記憶手段は、前記欠陥画素位置情報に応じて補正用画素位置情報をさらに記憶し、
前記補正用画素位置情報は、前記欠陥画素補正処理に用いる前記複数の撮像画素または前記複数の焦点検出画素の、前記欠陥画素位置を基準とした相対的な画素位置を表す情報であることを特徴とする撮像装置。